(57)【要約】【課題】メディアにおいて、レーベル面の書き換えを可能にし、書き換えのためのメディアの取り出しを省略することを課題とする。【解決手段】  記録または記録再生メディアに電気的に書き換え可能な表示素子と、情報処理装置から送信される前記表示素子に表示する表示データを受信する手段と、前記情報処理装置が送る電力を受け取る手段を備える。  前記情報処理装置は前記メディアの前記表示素子に表示する表示データを作成する手段と、前記メディアへ前記表示データを送信する送信手段と、前記メディアに電力を送る送電手段を備える。  また、前記表示素子の表示内容を書き換える手段を前記メディアまたは前記情報処理装置が備える。また、前記メディアはケースに覆われたメディア装置であっても良い。【選択図】  図１
2008257808.tif 000002
【特許請求の範囲】
【請求項１】
再生または記録再生可能なメディアであって、
前記メディアのレーベル面に電気的に表示内容を書き換え可能な表示素子を有し、
前記表示内容の情報を受信する手段と、
電力を受け取る手段と、
前記表示素子の表示内容を書き換える手段とを有することを特徴とするメディア。
【請求項２】
前記メディアはメモリと、
前記表示素子に表示している情報または前記メモリが保持している前記表示素子に表示する情報を送信する手段とを有することを特徴とする請求項１に記載のメディア。
【請求項３】
前記受信する手段および前記送信する手段、または前記電力の受け取り手段は無線であることを特徴とする請求項２に記載のメディア。
【請求項４】
蓄電素子または発電素子を備えることを特徴とする請求項１または請求項２に記載のメディア。
【請求項５】
再生または記録再生可能なメディアであって、
前記メディアのレーベル面に電気的に表示内容を書き換え可能な表示素子を有し、
情報処理装置が有する接触端子に接触し、前記情報処理装置が送信する前記表示素子の表示内容を書き換えるための情報を受信する接触端子とを備えることを特徴とするメディア。
【請求項６】
再生または記録再生可能なメディアであって、
前記メディアのレーベル面に電気的に表示内容を書き換え可能な表示素子を有し、
前記表示内容の情報を受信する手段と、
前記表示内容を記憶するメモリと、
電力を受け取る手段と、
蓄電素子と、
前記表示素子の表示内容を書き換える手段とを有し、
前記表示内容を書き換える手段が前記表示素子の表示内容を書き換えることを特徴とするメディア。
【請求項７】
一定時間毎に前記表示素子の表示内容を書き換えることを特徴とする請求項６に記載のメディア。
【請求項８】
メディアと、メディアの全部または一部を覆うケースを有し、情報処理装置に着脱可能なメディア装置であって、
前記ケースに電気的に表示内容を書き換え可能な表示素子を有し、
前記表示素子の表示内容を受信する手段と、
電力を受け取る手段と、
前記表示素子に前記表示内容を表示させる手段とを有することを特徴とするメディア装置。
【請求項９】
メディアと、メディアの全部または一部を覆うケースを有し、情報処理装置に着脱可能なメディア装置であって、
前記ケースに電気的に表示内容を書き換え可能な表示素子を有し、
前記表示素子は情報処理装置が送信する情報に表示内容が書き換わることを特徴とするメディア装置。
【請求項１０】
メディアと、メディアの全部または一部を覆うケースを有し、情報処理装置に着脱可能なメディア装置であって、
前記ケースに電気的に表示内容を書き換え可能な表示素子を有し、
前記表示内容の情報を受信する手段と、
前記表示内容を記憶するメモリと、
電力を受け取る手段と、
蓄電素子と、
前記表示素子の表示内容を書き換える手段とを有し、
前記表示内容を書き換える手段が前記表示素子の表示内容を書き換えることを特徴とするメディア装置。
【請求項１１】
着脱可能な再生または記録再生メディアの情報処理装置であって、
前記メディアのレーベル面に配置された電気的に表示内容を書き換え可能な表示素子に表示する情報を前記メディアへ送信する手段と、
前記メディアへ電力を送る送電手段とを有することを特徴とする情報処理装置。
【請求項１２】
前記表示素子に表示されている情報、または前記メディアが有するメモリが保持している前記表示素子に表示する情報を前記メディアから受信する手段を有することを特徴とする請求項１１に記載の情報処理装置。
【請求項１３】
前記送信する手段および受信する手段、または前記送電手段は、無線であることを特徴とする請求項１２に記載の情報処理装置。
【請求項１４】
前記メディアに記録されている動画、画像情報を読み出し、読み出した情報に関する表示内容に、前記表示素子の表示内容を書き換えることを特徴とする請求項１１または請求項１２に記載の情報処理装置。
【請求項１５】
前記情報処理装置は、前記メディアに記録されている情報のなかで、再生済の情報に関する表示内容に、前記表示素子の表示内容を書き換えることを特徴とする請求項１１または１２に記載の情報処理装置。
【請求項１６】
前記表示素子への表示内容は、サムネイル画像を含むことを特徴とする、請求項１４または請求項１５に記載の情報処理装置。
【請求項１７】
着脱可能な再生または記録再生メディアの情報処理装置であって、
前記メディアのレーベル面に配置された電気的に表示内容を書き換え可能な表示素子の表示内容を書き換える手段と、
前記メディアが有する接触端子に接触し、前記表示素子の表示内容を書き換えるための情報を送信する接触端子とを有することを特徴とする情報処理装置。
【請求項１８】
前記メディアが前記情報処理装置から排出される際に、前記表示素子に現在表示されている情報を再度書き込むまたは書き換えることを特徴とする請求項１１または請求項１７に記載の情報処理装置。
【請求項１９】
メディアとメディアの全部または一部を覆うケースを有する着脱可能なメディア装置の情報処理装置であって、
前記ケースに配置された電気的に表示内容を書き換え可能な表示素子に表示する情報を前記メディア装置へ送信する手段と、
前記メディアへ電力を送る送電手段とを有することを特徴とする情報処理装置。
【請求項２０】
メディアとメディアの全部または一部を覆うケースを有する着脱可能なメディア装置の情報処理装置であって、
前記ケースに配置された電気的に表示内容を書き換え可能な表示素子の表示内容を書き換える手段と、
前記表示素子の表示内容を書き換える情報を前記メディア装置に送信する手段とを有することを特徴とする情報処理装置。
【発明の詳細な説明】
【技術分野】
【０００１】
本発明は、レーベル面に情報を表示できるメディアと、そのメディアに情報を伝送可能な情報処理装置に関する。
【背景技術】
【０００２】
CD/DVD/BD/HD−DVDのレーベル面にレーザ照射により変色する材質を使用しレーベル面印刷を行う技術として特許文献１がある。これには、「外部記録メディアのレーベル面をレーザ照射などにより変色する材質にし、メディアを裏返してドライブに挿入することにより、レーザでレーベル面を印刷可能にする。外部記録メディア装填部と、外部記録メディアからのデータ読み出し手段と、外部記録メディアへのデータ書き込み手段と、外部記録メディアが備えるレーベル面領域に、ラベル情報を書き込むラベル情報書き込み手段とを備える外部記録メディア用ドライブに、外部記録メディアを装填した状態で、データの読み出しおよびデータの書き込みと、さらにラベル情報書き込み機能を利用してレーベル面へのラベル情報の書き込みを行う。」とある。
【０００３】
【特許文献１】再公表特許W０２００４／１０９６９６
【発明の開示】
【発明が解決しようとする課題】
【０００４】
近年、BDやHD-DVD等、記録メディアの容量が大きくなってきている。また、記録メディアはデータの書き換えや追加が可能になってきている。
【０００５】
しかし、中に書かれている情報を視認する手段であるレーベル面はこれまでの技術では１度印刷を行うと書き換えることが困難である。そのため、記録メディアの記録情報の変更があると、記録情報と一致していないレーベル面の表示となってしまうこともある。この対策として例えば、情報を書き換えたメディアのレーベル面に番号を印刷し、番号に対応した情報の内容を別のファイル等で管理するということが必要となっている。
【０００６】
また、レーベル面の印刷は、外部のプリンタを利用した印刷方法や、光ディスクドライブのレーザを利用した印刷方法がある。しかし、これらを使用するためには、メディアに情報を記録する他に、印刷のためにメディアをドライブから取り出す必要がある。
【０００７】
そこで、レーベル面の書き換えを可能にし、また印刷のためのメディアの取り出しを省略することを課題とする。
【課題を解決するための手段】
【０００８】
記録または記録再生メディアまたはメディア装置に電気的に書き換え可能な表示素子を備え、情報処理装置はメディアの前記表示素子に表示する表示データをメディアへ送信する送信手段または前記表示素子の表示内容を書き換える手段を備える。また、メディアへの記録、再生の際に、表示データを書き換える。
【発明の効果】
【０００９】
レーベル面のメディアに記録されている情報に関する表示を書き換えられ、メディアの記録内容を簡単に把握することができ、ユーザの利便性が増す。
【発明を実施するための最良の形態】
【００１０】
以下、図面を用いて実施例を述べる。
【実施例１】
【００１１】
実施例１の情報処理装置１０の構成図を図１に示す。メディア１００は、DVDのような光ディスクを想定しており、図１において、メディア100の上側がレーベル面102、下側が情報記録面107で、再生または記録再生層である情報記録層１０８は情報記録面107側に配置されている。メディア100のレーベル面102は、電気信号により表示内容を変えることが可能でまた表示維持に電力が必要無い、または少ない電力で表示維持可能な例えば電子ペーパのような表示素子101を備えている。
【００１２】
電子ペーパは、紙の長所とされる視認性や携帯性を保った表示ができ、表示内容を電気的に書き換えられるもので、電源切断後も無電力で一定期間表示内容を維持できるという特徴を備える表示素子である。メディア100のレーベル面データ処理手段103は、情報処理装置１０のデータ送信手段104から送られてくるレーベル面に表示するデータであるレーベル面データを受け取るデータ受け取り手段111と図示しないが表示素子101への画像表示を行う信号処理回路を備えている。
【００１３】
情報処理装置１０のレーベル面データ作成手段106はレーベル面データを作成し、データ送信手段104に送る。データ送信手段104は、受け取ったレーベル面データをデータ受け取り手段１１１に送る。
【００１４】
レーベル面データ処理手段103は、データ受け取り手段１１１よりレーベル面データを受け取ると、表示素子101の表示内容を受け取ったレーベル面データに書き換える。表示書き換えの際レーベル面データ処理手段103が必要とする電力は、情報処理装置１０の送電手段105により送電し、レーベル面データ処理手段103は、電力受け取り手段112で受け取る。
【００１５】
送信手段の実施例について図２を用いて説明する。
データ送信手段104およびデータの受け取り手段111に接触端子201を設け、データ送信手段104の接触端子201とデータの受け取り手段111の接触端子201が接触することにより、データ送信がなされる。
【００１６】
他の手段として、例えば電磁波などによる近接無線手段がある。また、他の手段として、データ送信手段104にレーザ発信器を備え、データの受け取り手段111に光検出器を備え波長の変化や光の強度の変化により送信を行う手段がある。
【００１７】
次に、送電手段について説明する。
送電手段105は、データ送信手段104と同様に、図２で示した接触端子201を設ける手段、近接無線による手段、レーザ発信器による手段がある。データ送信手段104と送電手段105は兼用しても、別々でもよい。また、上記送信手段と送電手段の各実現手段の組み合わせは、どのように組み合わせてもよい。
【００１８】
なお、情報処理装置１０は、図示していないが、メディア１００を回転させるディスクモータ、メディア１００の情報記録層１０８を再生または記録するために情報記録層１０８にレーザ光を照射しその反射光を受けるピックアップ、ディスクモータ、ピックアップなどを制御するサーボ回路、ピックアップで受けた信号を処理する信号処理回路、これらの動作を制御するコントローラなどを含んでおり、例えば光ディスクドライブを有するＰＣなどが想定される。
【００１９】
次に、メディア１００から情報処理装置１０へデータを送る例を図３を用いて説明する。
図３ではデータの送信手段として近接無線手段を使用している。メディア１００のレーベル面データ処理手段103はメモリ122を備え、レーベル面データ処理手段103のデータ受け取り手段１１１は近接無線手段３０１を有しデータを送信する機能も備えている。
【００２０】
情報処理装置１０のデータ送信手段104は近接無線手段３０１を有しデータを受信する手段も備え、レーベル面データ作成手段１０６がメモリ１２２のデータまたは現在表示素子１０１が表示しているデータを読み出すことが出来る。このときのデータを送信する手段は、近接無線手段３０１の他に、接触端子201を設け送信する手段、レーザを使用した光検出器波長の変化や光の強度の変化を受信することで送信を行う手段があるがどれを用いても良い。
【００２１】
次に、メディア１００に蓄電素子を備える例を図４（ａ）を用いて説明する。
【００２２】
表示素子101が表示維持に電力を消費する場合には、レーベル面データ処理手段103に蓄電素子121を備え、表示維持期間を延ばしても良い。このときの蓄電素子121の蓄電は送電手段105から送られる電力を使用する。また、表示素子101の書き換え時にレーベル面データ処理手段103が消費する電力も蓄電素子で蓄えられた電力を使用しても良い。
【００２３】
次に、メディア１００に発電素子を備える例を図４（ｂ）を用いて説明する。
レーベル面102や情報記録面107に例えば太陽電池のような光発電素子702を備え、光発電素子702で発電した電力を表示素子１０１に供給し、表示維持期間を延ばしても良い。また、光発電素子702で発電した電力を蓄電素子１２１に蓄えて、蓄電素子１２１から表示素子１０１に供給してもよい。
【実施例２】
【００２４】
レーベル面データ処理手段103が情報処理装置１０に配置された実施例を図５に示す。表示素子１０１の入力端子をそのままメディア１００側の接触端子２０１とし、レーベル面データ処理手段103は、情報処理装置１０に配置され、メディア１００には配置されない。レーベル面データ処理手段103は、レーベル面データ作成手段106からレーベル面データを受け取り、接触端子２０１を通して表示素子１０１の表示内容を書き換える。レーベル面データ処理手段103に必要な電力は、情報処理装置１０内で供給すればよく、メディア100に電力を供給する必要は無くなくなるので、情報処理装置１０の電力送信手段105、メディア１００の電力受け取り手段112は不要となる。
【００２５】
次に、メディア１００が情報処理装置１０から排出されるときの動作について説明する。
実施例１でも実施例２でも、メディア１００への情報の読み出し、書き込み処理等で、レーベル面１０２の表示内容が乱れるような場合も考えられるので、メディア１００排出前に表示内容を書き換えてもよい。このときの表示内容は書き換え前と同一でもよい。
【実施例３】
【００２６】
メディア１００単独で、表示素子１０１の表示内容を書き換える例を図６に示す。
レーベル面データ処理手段103は、メモリ122と蓄電素子121と図示しないが時間計測の手段を備えている。
【００２７】
メモリ１２２は、複数のレーベル面情報を保持している。レーベル面データ処理手段103は、時間を計測しており、一定時間経過するとメモリ122からレーベル面情報を読み出し、表示素子１０１の表示内容を書き換える。また、一定期間毎に表示内容を書き換えても良い。このときの表示内容は書き換え前と同一でも良い。書き換えのとき必要な電力は、蓄電素子121から供給する。
【実施例４】
【００２８】
情報処理装置１０を使用し、メディア１００に記録を行う例を図７に示す。
情報読み出し手段801は情報記録層108に記録されている情報を読み出すことが出来る。情報記録手段802は情報記録層108に情報の記録および削除を行うことが出来る。現在の情報803は、情報読み出し手段８０１を用いて情報記録層108より読み出した現在情報記録層108に記録されている動画の情報である。記録情報804は、これから記録する動画の情報である。現在の情報803、記録情報804はともに情報処理装置１０に設けたメモリに記録される。
【００２９】
レーベル面データ作成手段106は、現在の情報803と記録情報804の情報にもとづいて図８（ｂ）に示すようなレーベル面データを作る。その後は実施例１で記載したように、レーベル面の表示変更を行う。図８（ａ）は、メディア１００への情報記録前の表示素子１０１に表示されている内容、図８（ｂ）は、情報記録後の表示である。絵１と絵２には、０５年山登りの写真が表示されている。情報記録後、０６年キャンプの写真と音楽情報が追加されたので、図８（ｂ）のレーベル面の表示に０６年キャンプとＭｙ  Ｍｕｓｉｃのファイル名が追加されている。
【００３０】
また、絵３と絵４が追加され、そこに０６年キャンプの写真が表示されている。図８（ａ）、図８（ｂ）はレーベル面の表示の一例であり、表示するデータ、位置、形等はユーザが任意で選べるようにしておいても良い。また、レーベル面に表示する内容は、現在の情報803と記録情報804から作成しても、その他例えばユーザが作成したものでもよい。レーベル面の表示変更の処理は情報記録層108への情報の記録の前後、記録中のいつでも良い。情報記録層108の情報を削除する場合は、記録情報804は、これから削除する情報になる。レーベル面の表示例としては、図８（ｂ）が削除前、図８（ａ）が削除後となる。
【実施例５】
【００３１】
動画の再生に情報処理装置１０を使用し、メディア１００に記録されている動画の再生を行った場合の例を図９に示す。
ユーザの操作により、情報読み出し手段801は、動画情報を読み出し、読み出した映像情報を動画出力手段８０５に送る。動画出力手段８０５は、受け取った動画情報を例えばテレビなどの外部機器８０７で表示出来るフォーマットに変換して外部機器８０７に出力する。
【００３２】
このとき、情報保存手段８０６は再生機中の動画の画像情報を保存しておく。ユーザが映像の視聴を終了したときに、レーベル面データ作成手段106は、実施例１で記載したレーベル面データ取得方法を使い取得した現在のレーベル面データと情報保存手段８０６に保存されている動画の画像にもとづきレーベル面データを作成する。その後は実施例１で記述したようにレーベル面の表示変更を行う。図１０（ａ）は映像の視聴前の表示素子１０１に表示されている内容、図１０（ｂ）は視聴後の表示内容の例である。
【００３３】
ユーザは、以前第１話と第２話を再生しており、今回第３話と第４話を再生したので第３話と第４話のサムネイル画像が追加されている。メディア１００には、第５話以降も記録されていたとしても、レーベル面への表示は再生した第４話までとする。これにより、ユーザは、どこまで再生したかをレーベル面を見れば知ることができる。図１０（ａ）、図１０（ｂ）はレーベル面表示の一例であり、表示するデータ、位置、形、等はユーザが任意に選べるようにしておいても良い。
【００３４】
また、レーベル面に表示する内容は、情報保存手段８０６に保存されている動画の画像から作成しても、その他例えばユーザが作成したものでもよく、上記のような動画等、メディアの情報記録層に記録されている情報に関するもので有ればよい。
【実施例６】
【００３５】
実施例１から実施例５までは、メディアとしてＤＶＤなどの光ディスクを例に説明したが、磁気ディスクなど他のメディアでもよい。またメディアの全部または一部がケースに覆われていて、ケースに表示装置を配置してもよい。メディアがケースに入った例を図１１に示す。
【００３６】
メディア装置９００が、情報処理装置９１０に対して着脱式になっている。情報処理装置９１０は、例えばPCのホストなどである。メディア装置９００は、ケース９０１の中に、メディア１００、メディアへ書き込み、読み出しを行うヘッド９０２、信号処理、ヘッド９０２の制御などをおこなうコントローラ９０３、情報処理装置９１０との例えばATA（Advanced  Technology  Attachment）などのインターフェイス９０４、レーベル面データ処理手段１０３を有している。
【００３７】
また表示素子１０１は、ユーザが表示内容を見られるようにケース９０１に配置されている。その他、メディア装置９００は、図示していないが、メディア１００、ヘッド９０２を駆動する装置なども含んでいる。情報処理装置９１０は、レーベル面データ作成の機能を有しており、作成されたレーベル面データは、インターフェイス９０４を通して、レーベル面データ処理手段１０３に送られる。
【００３８】
レーベル面データ処理手段１０３は、レーベル面データを受け取ると、表示素子１０１の表示内容を書き換える。図１１では、コントローラ９０３とレーベル面データ処理手段１０３は別になっているが、コントローラ９０３がレーベル面データ処理手段１０３の機能を含んでもよい。
【００３９】
メディア装置９００は、着脱式のＨＤＤ（Hard  Disc  Drive）を想定して、ヘッド９０２などのメディアへの書き込み、読み込み手段は、メディア装置９００側に入れたが、メディアによっては、情報処理装置９１０側に持たせてもよい。
【００４０】
また、レーベル面データ処理手段１０３を、情報処理装置９１０側に持たせてもよい。その他、図示しないが、メディア装置９００に、蓄電素子、光発電素子、メモリを持たせてもよい。
【００４１】
以上のように、記録メディアの情報の書き換えを行ったときにレーベル面領域などの表示を情報の書き換えに対応した表示に書き換えることが出来るので、現在メディアに記録されている情報を簡単に把握することができるようになる。また、レーベル面領域の表示の書き換えを、メディアの情報の書き換えのときなど、ドライブから記録メディアを取り出すこと無く行うことが出来るため、ユーザの利便性が増す。
【図面の簡単な説明】
【００４２】
【図１】実施例１における情報処理装置の第一の実施例を示す構成図である。
【図２】実施例１におけるレーベル面データ伝達手段に接触端子を使用した図である。
【図３】実施例１におけるレーベル面データ伝達手段に無線通信を使用した図である。
【図４】実施例１におけるメディアに蓄電素子と光発電素子を備えた図である。
【図５】実施例２におけるレーベル面データ伝達手段に接触端子を使用した他の例を示した図である。
【図６】実施例３におけるメディアが単独で書き換える例を示した図である。
【図７】実施例４におけるの情報処理装置第二の実施例を示す構成図である。
【図８】実施例４における情報書き換えに伴うレーベル面の一例を示す。
【図９】実施例５における情報処理装置の第三の実施例を示す構成図である。
【図１０】実施例５における再生情報に対応したレーベル面の一例を示す。
【図１１】実施例６におけるメディアがケースに入った例を示す。
【符号の説明】
【００４３】
10・・・情報処理装置、  100・・・メディア、  101・・・表示素子、  107・・・情報記録面、
108・・・情報記録層、  111・・・データ受け取り手段、  112・・・電力受け取り手段、
113・・・送電手段、  121・・・蓄電素子、  122・・・メモリ、  201・・・接触端子、
301・・・近接無線手段、  702・・・光発電素子、  801・・・情報読み出し手段、
802・・・情報記録手段、  803・・・現在の情報、  804・・・記録情報、
805・・・動画出力手段、  806・・・情報保存手段、  807・・・外部機器、
900・・・メディア装置、  901・・・ケース、  902・・・ヘッド、  903・・・コントローラ、
904・・・インターフェイス、  910・・・情報処理装置。
【図１】
2008257808.tif 000003
【図２】
2008257808.tif 000004
【図３】
2008257808.tif 000005
【図４】
2008257808.tif 000006
【図５】
2008257808.tif 000007
【図６】
2008257808.tif 000008
【図７】
2008257808.tif 000009
【図８】
2008257808.tif 000010
【図９】
2008257808.tif 000011
【図１０】
2008257808.tif 000012
【図１１】
2008257808.tif 000013